(57)【要約】【課題】ユーザが表示画面の周縁部の全周に渡った道路等の繋がりや位置関係を容易に確認することができる情報表示装置、情報表示方法及びプログラムを提供する。【解決手段】地図画像を表示する表示手段の表示画面上において押下された３点以上の押下座標位置を位置検出手段によって検出し、且つ、各押下座標位置が同一点の座標位置に向かって移動したと判定した場合には、各押下座標位置に基づいて対象地図領域を設定する対象地図領域設定手段と、前記各押下座標位置に基づいて前記対象地図領域を前記同一点の座標位置に向かう方向へ縮小して圧縮表示領域を設定する圧縮表示領域設定手段と、前記圧縮表示領域内に前記対象地図領域の地図情報を圧縮表示する圧縮表示手段と、前記圧縮表示領域の外側に前記対象地図領域の縮小に伴って表示画面の外側周辺部の地図領域を表示画面内へ移動した地図情報を表示する周辺地図表示手段と、を備える。【選択図】図８
2013029374.tif 000002
【特許請求の範囲】
【請求項１】
地図画像を表示する表示手段と、
前記表示手段の表示画面上において押下された押下座標位置を検出する位置検出手段と、
前記位置検出手段によって３点以上の押下座標位置を検出し、且つ、各押下座標位置が同一点の座標位置に向かって移動したか否かを判定する移動方向判定手段と、
前記位置検出手段によって３点以上の押下座標位置を検出し、且つ、各押下座標位置が同一点の座標位置に向かって移動したと判定した場合には、各押下座標位置に基づいて対象地図領域を設定する対象地図領域設定手段と、
前記各押下座標位置に基づいて前記対象地図領域を前記同一点の座標位置に向かう方向へ縮小して圧縮表示領域を設定する圧縮表示領域設定手段と、
前記圧縮表示領域内に前記対象地図領域の地図情報を圧縮表示する圧縮表示手段と、
前記圧縮表示領域の外側に前記対象地図領域の縮小に伴って表示画面の外側周辺部の地図領域を表示画面内へ移動した地図情報を表示する周辺地図表示手段と、
を備えたことを特徴とする情報表示装置。
【請求項２】
現在位置を取得する現在位置取得手段と、
前記現在位置が前記対象地図領域内の地点か否かを判定する現在地判定手段と、
前記現在位置が前記対象地図領域内の地点であると判定した場合には、前記圧縮表示手段は、前記圧縮表示領域内に当該現在位置を含む所定範囲の地図情報を表示することを特徴とする請求項１に記載の情報表示装置。
【請求項３】
前記周辺地図表示手段は、
前記圧縮表示領域の外側を複数の画面区画に区分する区分手段と、
前記画面区画間の境界線から所定距離の地図領域の地図情報を圧縮して、該画面区画間の境界部に所定幅で表示する境界圧縮表示手段と、
を有することを特徴とする請求項１又は請求項２に記載の情報表示装置。
【請求項４】
前記地図画像の縮尺を広域の縮尺に変更するように指示する広域表示指示を入力する入力手段を備え、
前記入力手段を介して広域表示指示が入力された場合には、前記周辺地図表示手段は、前記圧縮表示領域の外側に地図画像の縮尺を広域の縮尺に変更した地図情報を表示することを特徴とする請求項１乃至請求項３のいずれかに記載の情報表示装置。
【請求項５】
地図画像を表示する表示手段の表示画面上において押下された押下座標位置を検出する位置検出工程と、
前記位置検出工程で３点以上の押下座標位置を検出し、且つ、各押下座標位置が同一点の座標位置に向かって移動したか否かを判定する移動方向判定工程と、
前記移動方向判定工程で前記位置検出手段によって３点以上の押下座標位置を検出し、且つ、各押下座標位置が同一点の座標位置に向かって移動したと判定した場合には、各押下座標位置に基づいて対象地図領域を設定する対象地図領域設定工程と、
前記位置検出工程で検出した前記各押下座標位置に基づいて前記対象地図領域を前記同一点の座標位置に向かう方向へ縮小して圧縮表示領域を設定する圧縮表示領域設定工程と、
前記圧縮表示領域設定工程で設定した圧縮表示領域内に前記対象地図領域の地図情報を圧縮表示する圧縮表示工程と、
前記圧縮表示領域設定工程で設定した圧縮表示領域の外側に前記対象地図領域の縮小に伴って表示画面の外側周辺部の地図領域を表示画面内へ移動した地図情報を表示する周辺地図表示工程と、
を備えたことを特徴とする情報表示方法。
【請求項６】
コンピュータに、
地図画像を表示する表示手段の表示画面上において押下された押下座標位置を検出する位置検出工程と、
前記位置検出工程で３点以上の押下座標位置を検出し、且つ、各押下座標位置が同一点の座標位置に向かって移動したか否かを判定する移動方向判定工程と、
前記移動方向判定工程で前記位置検出手段によって３点以上の押下座標位置を検出し、且つ、各押下座標位置が同一点の座標位置に向かって移動したと判定した場合には、各押下座標位置に基づいて対象地図領域を設定する対象地図領域設定工程と、
前記位置検出工程で検出した前記各押下座標位置に基づいて前記対象地図領域を前記同一点の座標位置に向かう方向へ縮小して圧縮表示領域を設定する圧縮表示領域設定工程と、
前記圧縮表示領域設定工程で設定した圧縮表示領域内に前記対象地図領域の地図情報を圧縮表示する圧縮表示工程と、
前記圧縮表示領域設定工程で設定した圧縮表示領域の外側に前記対象地図領域の縮小に伴って表示画面の外側周辺部の地図領域を表示画面内へ移動した地図情報を表示する周辺地図表示工程と、
を実行させるためのプログラム。
【発明の詳細な説明】
【技術分野】
【０００１】
本発明は、表示画面の押下操作に基づいて画像を分割圧縮する情報表示装置、情報表示方法及びプログラムに関するものである。
【背景技術】
【０００２】
近年、携帯電話、ＰＤＡ（Personal Digital Assistant）、電子辞書及び音楽再生装置等の携帯電子機器が普及している。これらの携帯電子機器には、ユーザが操作する操作部の省スペース化により小型化を図るために、表示部の前側に接触及び接触位置を検出する透過型のタッチパネル等を備え、タッチパネルにユーザが触れることによって操作入力可能としたものが広く使われている。
【０００３】
例えば、２本の指で表示画面に接触した状態で、この２本の指の相対距離を縮めるように少なくとも一方の指を移動させることによって（以下、「ピッチイン」という。）、各指の移動後の接触位置Ｐ１、Ｐ２の間の中点を通るように、境界線Ｂを指の移動方向に対して垂直な方向に設定する。そして、この境界線Ｂに沿って表示画面を２の表示領域に分割して表示するように構成された表示装置がある（例えば、特許文献１参照。）。
【先行技術文献】
【特許文献】
【０００４】
【特許文献１】特開２０１０−９７４７３号公報
【発明の概要】
【発明が解決しようとする課題】
【０００５】
前記した特許文献１に記載された表示装置では、地図を表示した表示画面の分割を行った場合に、分割した各画面に表示されたそれぞれの地図領域の境界線Ｂに沿った道路や施設等の繋がりや位置関係は、一方の地図画面を操作して移動させることによって知ることができる。
【０００６】
しかしながら、各画面の周縁部の全周に渡った道路等の繋がりや位置関係を知るためには、各画面をそれぞれ四方に移動させる必要があるため操作が煩雑であるという問題がある。また、各地図画像を単純に縮小した場合には、現在地周辺の地図表示も縮小表示されてしまい、現在地周辺と遠距離部とを並行して確認することが難しいという問題がある。
【０００７】
そこで、本発明は、上述した問題点を解決するためになされたものであり、ユーザが表示画面の周縁部の全周に渡った道路等の繋がりや位置関係を容易に確認することができる情報表示装置、情報表示方法及びプログラムを提供することを目的とする。
【課題を解決するための手段】
【０００８】
前記目的を達成するため請求項１に係る情報表示装置は、地図画像を表示する表示手段と、前記表示手段の表示画面上において押下された押下座標位置を検出する位置検出手段と、前記位置検出手段によって３点以上の押下座標位置を検出し、且つ、各押下座標位置が同一点の座標位置に向かって移動したか否かを判定する移動方向判定手段と、前記位置検出手段によって３点以上の押下座標位置を検出し、且つ、各押下座標位置が同一点の座標位置に向かって移動したと判定した場合には、各押下座標位置に基づいて対象地図領域を設定する対象地図領域設定手段と、前記各押下座標位置に基づいて前記対象地図領域を前記同一点の座標位置に向かう方向へ縮小して圧縮表示領域を設定する圧縮表示領域設定手段と、前記圧縮表示領域内に前記対象地図領域の地図情報を圧縮表示する圧縮表示手段と、前記圧縮表示領域の外側に前記対象地図領域の縮小に伴って表示画面の外側周辺部の地図領域を表示画面内へ移動した地図情報を表示する周辺地図表示手段と、を備えたことを特徴とする。
【０００９】
また、請求項２に係る情報表示装置は、請求項１に記載の情報表示装置において、現在位置を取得する現在位置取得手段と、前記現在位置が前記対象地図領域内の地点か否かを判定する現在地判定手段と、前記現在位置が前記対象地図領域内の地点であると判定した場合には、前記圧縮表示手段は、前記圧縮表示領域内に当該現在位置を含む所定範囲の地図情報を表示することを特徴とする。
【００１０】
また、請求項３に係る情報表示装置は、請求項１又は請求項２に記載の情報表示装置において、前記周辺地図表示手段は、前記圧縮表示領域の外側を複数の画面区画に区分する区分手段と、前記画面区画間の境界線から所定距離の地図領域の地図情報を圧縮して、該画面区画間の境界部に所定幅で表示する境界圧縮表示手段と、を有することを特徴とする。
【００１１】
また、請求項４に係る情報表示装置は、請求項１乃至請求項３のいずれかに記載の情報表示装置において、前記地図画像の縮尺を広域の縮尺に変更するように指示する広域表示指示を入力する入力手段を備え、前記入力手段を介して広域表示指示が入力された場合には、前記周辺地図表示手段は、前記圧縮表示領域の外側に地図画像の縮尺を広域の縮尺に変更した地図情報を表示することを特徴とする。
【００１２】
また、請求項５に係る情報表示方法は、地図画像を表示する表示手段の表示画面上において押下された押下座標位置を検出する位置検出工程と、前記位置検出工程で３点以上の押下座標位置を検出し、且つ、各押下座標位置が同一点の座標位置に向かって移動したか否かを判定する移動方向判定工程と、前記移動方向判定工程で前記位置検出手段によって３点以上の押下座標位置を検出し、且つ、各押下座標位置が同一点の座標位置に向かって移動したと判定した場合には、各押下座標位置に基づいて対象地図領域を設定する対象地図領域設定工程と、前記位置検出工程で検出した前記各押下座標位置に基づいて前記対象地図領域を前記同一点の座標位置に向かう方向へ縮小して圧縮表示領域を設定する圧縮表示領域設定工程と、前記圧縮表示領域設定工程で設定した圧縮表示領域内に前記対象地図領域の地図情報を圧縮表示する圧縮表示工程と、前記圧縮表示領域設定工程で設定した圧縮表示領域の外側に前記対象地図領域の縮小に伴って表示画面の外側周辺部の地図領域を表示画面内へ移動した地図情報を表示する周辺地図表示工程と、を備えたことを特徴とする。
【００１３】
更に、請求項６に係るプログラムは、コンピュータに、地図画像を表示する表示手段の表示画面上において押下された押下座標位置を検出する位置検出工程と、前記位置検出工程で３点以上の押下座標位置を検出し、且つ、各押下座標位置が同一点の座標位置に向かって移動したか否かを判定する移動方向判定工程と、前記移動方向判定工程で前記位置検出手段によって３点以上の押下座標位置を検出し、且つ、各押下座標位置が同一点の座標位置に向かって移動したと判定した場合には、各押下座標位置に基づいて対象地図領域を設定する対象地図領域設定工程と、前記位置検出工程で検出した前記各押下座標位置に基づいて前記対象地図領域を前記同一点の座標位置に向かう方向へ縮小して圧縮表示領域を設定する圧縮表示領域設定工程と、前記圧縮表示領域設定工程で設定した圧縮表示領域内に前記対象地図領域の地図情報を圧縮表示する圧縮表示工程と、前記圧縮表示領域設定工程で設定した圧縮表示領域の外側に前記対象地図領域の縮小に伴って表示画面の外側周辺部の地図領域を表示画面内へ移動した地図情報を表示する周辺地図表示工程と、を実行させるためのプログラムである。
【発明の効果】
【００１４】
請求項１に係る情報表示装置、請求項５に係る情報表示方法及び請求項６に係るプログラムでは、ユーザは、表示画面の３点以上を指等で押下して画面上の同一点に向けて移動させることによって、各押下座標位置に基づいて設定された対象地図領域の縮小に伴って、表示画面の外側周辺部の地図領域を表示画面内へ移動させて表示することができる。これにより、ユーザは、表示画面の周縁部の全周に渡った道路等の繋がりや位置関係を容易に確認することができる。
【００１５】
また、請求項２に係る情報表示装置では、現在位置が地図情報を圧縮表示する対象地図領域内の地点である場合には、圧縮表示領域内に現在位置を含む所定範囲の地図情報を表示する。これにより、ユーザは、現在地周辺の地図と遠距離部の地図とを並行して容易に確認することができる。
【００１６】
また、請求項３に係る情報表示装置では、圧縮表示領域の外側を複数の画面区画に区分し、画面区画間の境界線から所定距離の地図領域の地図情報を圧縮して、該画面区画間の境界部に所定幅で表示する。これにより、各画面区画内に地図を重複して表示することを防止することができ、ユーザは圧縮表示領域の外側の地図を容易に確認することができる。
【００１７】
更に、請求項４に係る情報表示装置では、ユーザは、入力手段を介して広域表示指示を入力することによって、圧縮表示領域の外側に地図画像の縮尺を広域の縮尺に変更した地図を表示させることができ、道路等の繋がりや位置関係を更に遠距離部まで容易に確認することができる。
【図面の簡単な説明】
【００１８】
【図１】本実施例に係るナビゲーション装置を示したブロック図である。
【図２】３本以上の指で押下した押下座標位置間の地図画像を圧縮表示する「圧縮表示処理」を示すメインフローチャートである。
【図３】図２の「圧縮表示領域内の描画処理」のサブ処理を示すサブフローチャートである。
【図４】図２の「圧縮表示領域外の描画処理」のサブ処理を示すサブフローチャートである。
【図５】地図画像の圧縮表示領域の設定の一例を示す図である。
【図６】図５に対応する圧縮表示の一例を示す図である。
【図７】地図画像の圧縮表示領域の設定の一例を示す図である。
【図８】図７に対応する圧縮表示の一例を示す図である。
【図９】地図画像の圧縮表示領域の設定の一例を示す図である。
【図１０】図９に対応する圧縮表示の一例を示す図である。
【図１１】他の実施例に係る地図画像の圧縮表示領域の設定の一例を示す図である。
【図１２】図１１に対応する圧縮表示の一例を示す図である。
【発明を実施するための形態】
【００１９】
以下、本発明に係る情報表示装置、情報表示方法及びプログラムをナビゲーション装置について具体化した一実施例に基づき図面を参照しつつ詳細に説明する。
【００２０】
［ナビゲーション装置の概略構成］
先ず、本実施例に係るナビゲーション装置の概略構成について図１に基づいて説明する。図１は本実施例に係るナビゲーション装置１を示したブロック図である。
図１に示すように、本実施例に係るナビゲーション装置１は、自車の現在位置等を検出する現在地検出処理部１１と、各種のデータが記録されたデータ記録部１２と、入力された情報に基づいて、各種の演算処理を行うナビゲーション制御部１３と、操作者からの操作を受け付ける操作部１４と、操作者に対して地図等の情報を表示する液晶ディスプレイ１５と、経路案内等に関する音声ガイダンスを出力するスピーカ１６と、不図示の道路交通情報センタや地図情報配信センタ等との間で携帯電話網等を介して通信を行う通信装置１７と、液晶ディスプレイ１５の表面に装着されたタッチパネル１８とから構成されている。また、ナビゲーション制御部１３には自車の走行速度を検出する車速センサ２１が接続されている。
【００２１】
以下に、ナビゲーション装置１を構成する各構成要素について説明すると、現在地検出処理部１１は、ＧＰＳ３１、方位センサ３２、距離センサ３３等からなり、自車両の現在位置（以下、「自車位置」という。）、自車の向きを表す自車方位、走行距離等を検出することが可能となっている。
【００２２】
また、データ記録部１２は、外部記憶装置及び記録媒体としてのハードディスク（図示せず）と、ハードディスクに記憶された地図情報データベース（地図情報ＤＢ）２５及び所定のプログラム等を読み出すとともにハードディスクに所定のデータを書き込む為のドライバ（図示せず）とを備えている。
【００２３】
また、地図情報ＤＢ２５には、ナビゲーション装置１の走行案内や経路探索に使用されるナビ地図情報２６が格納されている。ここで、ナビ地図情報２６は、経路案内及び地図表示に必要な各種情報から構成されており、例えば、各新設道路を特定するための新設道路情報、地図を表示するための地図表示データ、各交差点に関する交差点データ、ノード点に関するノードデータ、道路（リンク）に関するリンクデータ、経路を探索するための探索データ、施設の一種である店舗等のＰＯＩ（Point of Interest）に関する施設データ、地点を検索するための検索データ等から構成されている。
【００２４】
また、施設データとしては、各地域のホテル、遊園地、宮殿、病院、ガソリンスタンド、駐車場、駅、空港、フェリー乗り場等のＰＯＩに関する名称や住所、電話番号、地図上の座標位置（例えば、中心位置、入口、出口等の緯度と経度である。）、地図上に施設の位置を表示する施設アイコン等のデータがＰＯＩを特定する施設ＩＤとともに記憶されている。
また、地図情報ＤＢ２５の内容は、不図示の地図情報配信センタから通信装置１７を介して配信された更新情報をダウンロードすることによって更新される。
【００２５】
また、図１に示すように、ナビゲーション装置１を構成するナビゲーション制御部１３は、ナビゲーション装置１の全体の制御を行う演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラム等が記憶されたＲＯＭ４３、ＲＯＭ４３から読み出したプログラムを記憶するフラッシュメモリ４４等の内部記憶装置や、時間を計測するタイマ４５等を備えている。
【００２６】
また、ＲＯＭ４３には、後述のユーザが液晶ディスプレイ１５の表示画面上を３本以上の指で押下した状態で近づくように移動させることによって、各指で押下した間の地図画像を圧縮表示する「圧縮表示処理」（図３参照）等のプログラムが記憶されている。
更に、前記ナビゲーション制御部１３には、操作部１４、液晶ディスプレイ１５、スピーカ１６、通信装置１７、タッチパネル１８の各周辺装置（アクチュエータ）が電気的に接続されている。
【００２７】
この操作部１４は、走行開始時の現在位置を修正し、案内開始地点としての出発地及び案内終了地点としての目的地を入力する際や施設に関する情報の検索を行う場合等に操作され、各種のキーや複数の操作スイッチから構成される。そして、ナビゲーション制御部１３は、各スイッチの押下等により出力されるスイッチ信号に基づき、対応する各種の動作を実行すべく制御を行う。
【００２８】
また、液晶ディスプレイ１５には、現在走行中の地図情報（図５等参照）、目的地周辺の地図情報、操作案内、操作メニュー、キーの案内、現在地から目的地までの推奨経路、推奨経路に沿った案内情報、交通情報、ニュース、天気予報、時刻、メール、テレビ番組等が表示される。
【００２９】
また、スピーカ１６は、ナビゲーション制御部１３からの指示に基づいて、推奨経路に沿った走行を案内する音声ガイダンス等を出力する。ここで、案内される音声ガイダンスとしては、例えば、「２００ｍ先、○○交差点を右方向です。」等がある。
【００３０】
また、通信装置１７は、地図情報配信センタと通信を行う携帯電話網等による通信手段であり、地図情報配信センタとの間で最もバージョンの新しい更新地図情報等の送受信を行う。また、通信装置１７は地図情報配信センタに加えて、道路交通情報センタ等から送信された渋滞情報やサービスエリアの混雑状況等の各情報から成る交通情報を受信する。
【００３１】
また、タッチパネル１８は、液晶ディスプレイ１５の表示画面上に装着された透明なパネル状のタッチスイッチであり、液晶ディスプレイ１５の画面に表示されたボタンや地図上を押下することによって各種指示コマンドの入力や、後述のように表示画面上を３本以上の指で押下して押下位置を移動した場合に、各指の移動方向及び移動速度の検出や、表示画面上を押下した指の数の検出等をすることが可能に構成されている。尚、タッチパネル１８は、液晶ディスプレイ１５の画面を直接押下する光センサ液晶方式等で構成してもよい。
【００３２】
［圧縮表示処理］
次に、上記のように構成されたナビゲーション装置１のＣＰＵ４１が実行する処理であって、ユーザが液晶ディスプレイ１５の表示画面上を３本以上の指で押下した状態で近づくように移動させることによって、各指で押下した間の地図画像を圧縮表示する「圧縮表示処理」について図２乃至図１０に基づいて説明する。尚、図２にフローチャートで示されるプログラムは、ＣＰＵ４１により実行される。
【００３３】
図２に示すように、先ず、ステップ（以下、Ｓと略記する）１１において、ＣＰＵ４１は、タッチパネル１８の指で押下された各押下座標位置（以下、「タッチ座標」という。）を所定時間毎（例えば、約１０ミリ秒毎である。）に検出して、それぞれの指に対応させてＲＡＭ４２に時系列的に記憶する。
【００３４】
続いて、Ｓ１２において、ＣＰＵ４１は、タッチパネル１８への指による押下が解除された場合には、それぞれの指が最初に表示画面を押下したタッチ座標（以下、「開始タッチ座標」という。）が３点以上か否か、つまり、３本以上の指で押下されたか否かを判定する判定処理を実行する。そして、開始タッチ座標が２点以下であると判定した場合には（Ｓ１２：ＮＯ）、ＣＰＵ４１は、当該処理を終了する。
【００３５】
一方、開始タッチ座標が３点以上であると判定した場合、つまり、３本以上の指でタッチパネル１８が押下されたと判定した場合には（Ｓ１２：ＹＥＳ）、ＣＰＵ４１は、Ｓ１３の処理に移行する。Ｓ１３において、ＣＰＵ４１は、ＲＡＭ４２からそれぞれの指のタッチ座標を時系列的に読み出し、表示画面上での各指のタッチ座標の移動方向を算出してＲＡＭ４２に記憶する。続いて、ＣＰＵ４１は、表示画面上での各指のタッチ座標の移動方向が同一点に向かっているか否か、つまり、各指のタッチ座標の移動方向が互いに近づく方向か否かを判定する判定処理を実行する。
【００３６】
そして、表示画面上での各指のタッチ座標の移動方向が同一点に向かっていないと判定した場合には（Ｓ１３：ＮＯ）、ＣＰＵ４１は、当該処理を終了する。
一方、表示画面上での各指のタッチ座標の移動方向が同一点に向かっていると判定した場合には（Ｓ１３：ＹＥＳ）、ＣＰＵ４１は、Ｓ１４の処理に移行する。
【００３７】
Ｓ１４において、ＣＰＵ４１は、各指の開始タッチ座標をＲＡＭ４２から読み出し、各開始タッチ座標を結ぶ矩形状の地図圧縮範囲（対象地図領域）を算出し、当該地図圧縮範囲の地図画像を圧縮表示する対象として設定する。また、ＣＰＵ４１は、各指によるタッチパネル１８への押下がなくなる直前のタッチ座標（以下、「最終タッチ座標」という。）をＲＡＭ４２から読み出し、各最終タッチ座標を結ぶ矩形状の表示範囲を算出し、当該地図圧縮範囲内の地図画像を圧縮して表示する圧縮表示領域として設定する。
【００３８】
例えば、図５に示すように、ＣＰＵ４１は、３点の各開始タッチ座標５１、５２、５３の各座標（Ｘ１、Ｙ１）、（Ｘ２、Ｙ２）、（Ｘ３、Ｙ３）をＲＡＭ４２から読み出し、Ｘ座標の最大値Ｘ３、最小値Ｘ１と、Ｙ座標の最大値Ｙ１、最小値Ｙ２とから、各座標（Ｘ１、Ｙ１）、（Ｘ１、Ｙ２）、（Ｘ３、Ｙ２）、（Ｘ３、Ｙ１）を結ぶ矩形状の範囲を地図圧縮範囲５５としてＲＡＭ４２に記憶する。また、ＣＰＵ４１は、当該地図圧縮範囲５５内の地図画像を圧縮表示する対象として設定する。尚、表示画面の左下角部を原点（０、０）とし、横方向にＸ軸を設定し、縦方向にＹ軸を設定する。
【００３９】
また、ＣＰＵ４１は、３点の各最終タッチ座標５６、５７、５８の各座標（Ｘ４、Ｙ４）、（Ｘ５、Ｙ５）、（Ｘ６、Ｙ６）をＲＡＭ４２から読み出し、Ｘ座標の最大値Ｘ６、最小値Ｘ４と、Ｙ座標の最大値Ｙ４、最小値Ｙ５とから、各座標（Ｘ４、Ｙ４）、（Ｘ４、Ｙ５）、（Ｘ６、Ｙ５）、（Ｘ６、Ｙ４）を結ぶ矩形状の範囲を、当該地図圧縮範囲５５内の地図画像を圧縮して表示する圧縮表示領域６１としてＲＡＭ４２に記憶する。
【００４０】
そして、図２に示すように、Ｓ１５において、ＣＰＵ４１は、後述の「圧縮表示領域内の描画処理」のサブ処理（図３参照）を実行後、Ｓ１６の処理に移行する。Ｓ１６において、ＣＰＵ４１は、後述の「圧縮表示領域外の描画処理」のサブ処理（図４参照）を実行後、当該処理を終了する。
【００４１】
［圧縮表示領域内の描画処理］
次に、上記Ｓ１５で実行する「圧縮表示領域内の描画処理」のサブ処理について図３、図５乃至図８に基づいて説明する。
図３に示すように、Ｓ１１１において、ＣＰＵ４１は、現在地検出処理部１１により自車位置を検出して、自車位置を表す座標データ（例えば、緯度と経度のデータである。）をＲＡＭ４２に記憶する。そして、ＣＰＵ４１は、自車位置が上記Ｓ１４で設定した地図圧縮範囲内に位置しているか否かを判定する判定処理を実行する。
【００４２】
そして、自車位置が上記Ｓ１４で設定した地図圧縮範囲内に位置していると判定した場合には（Ｓ１１１：ＹＥＳ）、ＣＰＵ４１は、Ｓ１１２の処理に移行する。Ｓ１１２において、ＣＰＵ４１は、上記Ｓ１４で設定した圧縮表示領域内に自車位置を中心とする矩形状の所定範囲（例えば、自車位置を中心とする約１００ｍ四方の範囲である。）を自車位置周辺表示領域として設定する。そして、ＣＰＵ４１は、上記Ｓ１４で設定した圧縮表示領域内に自車位置を中心とする当該自車位置周辺表示領域の地図画像を圧縮しないで表示する。
【００４３】
続いて、Ｓ１１３において、ＣＰＵ４１は、上記Ｓ１４で設定した地図圧縮範囲と当該自車位置周辺表示領域との間に挟まれた地図画像を、上記Ｓ１４で設定した圧縮表示領域と当該自車位置周辺表示領域との間に挟まれた範囲内に圧縮表示する。その後、ＣＰＵ４１は、当該サブ処理を終了してメインフローチャートに戻り、Ｓ１６の処理に移行する。
【００４４】
例えば、図５に示すように、ＣＰＵ４１は、自車位置が地図圧縮範囲５５内に位置していると判定した場合には、圧縮表示領域６１内に自車位置を示す車両位置マーク６２を中心とした矩形状の所定範囲（例えば、自車位置を中心とする約１００ｍ四方の範囲である。）を自車位置周辺表示領域６３として設定する。
【００４５】
そして、図６に示すように、ＣＰＵ４１は、圧縮表示領域６１内に設定した自車位置周辺表示領域６３内に車両位置マーク６２を中心とする所定範囲内の地図画像を圧縮しないで表示する。また、ＣＰＵ４１は、地図圧縮範囲５５と当該自車位置周辺表示領域６２との間に挟まれた地図画像を、圧縮表示領域６１と当該自車位置周辺表示領域６２との間に挟まれた範囲内に圧縮表示する。
【００４６】
一方、図３に示すように、自車位置が上記Ｓ１４で設定した地図圧縮範囲内に位置していないと判定した場合には（Ｓ１１１：ＮＯ）、ＣＰＵ４１は、Ｓ１１４の処理に移行する。Ｓ１１４において、ＣＰＵ４１は、上記Ｓ１４で設定した地図圧縮範囲内の地図画像を圧縮表示領域内に圧縮表示する。その後、ＣＰＵ４１は、当該サブ処理を終了してメインフローチャートに戻り、Ｓ１６の処理に移行する。
【００４７】
例えば、図７に示すように、ＣＰＵ４１は、自車位置が地図圧縮範囲５５内に位置していないと判定した場合には、つまり、自車位置を示す車両位置マーク６２が地図圧縮範囲５５内に表示されていない場合には、自車位置周辺表示領域を設定しない。
そして、図８に示すように、ＣＰＵ４１は、当該地図圧縮範囲５５内の地図画像を圧縮表示領域６１内に圧縮表示する。
【００４８】
［圧縮表示領域外の描画処理］
次に、上記Ｓ１６で実行する「圧縮表示領域外の描画処理」のサブ処理について図４乃至図１０に基づいて説明する。
図４に示すように、Ｓ２１１において、ＣＰＵ４１は、地図圧縮範囲の各辺を圧縮表示領域の各辺まで縮小したときの各辺のＸ方向又はＹ方向の移動距離を算出し、地図圧縮範囲の縮小情報としてＲＡＭ４２に記憶する。また、ＣＰＵ４１は、地図圧縮範囲の外側の地図画像の縮尺をナビ地図情報２６から読み出し、ＲＡＭ４２に記憶する。
【００４９】
続いて、Ｓ２１２において、ＣＰＵ４１は、圧縮表示領域の外側に表示する地図画像の縮尺が等倍設定になっているか否か、つまり、同じ縮尺で表示するように設定されているか否かを判定する判定処理を実行する。具体的には、ＣＰＵ４１は、縮小フラグをＲＡＭ４２から読み出し、この縮小フラグがオフに設定されているか否かを判定する。
【００５０】
例えば、図５に示すように、ＣＰＵ４１は、表示画面に縮小ボタン６５を表示する。そして、図９に示すように、この縮小ボタン６５が押下された場合には、ＣＰＵ４１は、１段階広域の縮尺にするように指示する広域表示指示が入力されたと判定して、ＲＡＭ４２から縮小フラグを読み出し、この縮小フラグをオンに設定した後、再度ＲＡＭ４２に記憶する。尚、ナビゲーション装置１の起動時には、縮小フラグはオブに設定されてＲＡＭ４２に記憶されている。
【００５１】
そして、圧縮表示領域の外側に表示する地図画像の縮尺が等倍設定になっている、つまり、縮小フラグがオフに設定されていると判定した場合には（Ｓ２１２：ＹＥＳ）、ＣＰＵ４１は、Ｓ２１３の処理に移行する。Ｓ２１３において、ＣＰＵ４１は、地図圧縮範囲の外側の地図情報をナビ地図情報２６から同じ縮尺で読み出し、ＲＡＭ４２に記憶する。
【００５２】
続いて、Ｓ２１４において、ＣＰＵ４１は、地図圧縮範囲の四隅から表示画面の四隅を通る４本の区画線を設定し、各区画線によって地図圧縮範囲の外側の地図画像を略台形状の上下左右の４区画に区分する。
【００５３】
例えば、図５及び図７に示すように、ＣＰＵ４１は、地図圧縮範囲５５の四隅から表示画面の四隅を通る４本の区画線６６〜６９を設定し、地図圧縮範囲５５の外側の地図画像を略台形状の上下左右の４区画７１〜７４に区分する。尚、各区画線６６〜６９は、地図画像上に表示されない。
【００５４】
そして、図４に示すように、Ｓ２１５において、ＣＰＵ４１は、上記Ｓ２１１で記憶した地図圧縮範囲の縮小情報をＲＡＭ４２から読み出し、この上下左右の４区画の地図画像を圧縮表示領域の対向する各辺の位置までそれぞれＸ方向又はＹ方向へ移動させる。
その後、Ｓ２１６において、ＣＰＵ４１は、圧縮表示領域の四隅から表示画面の四隅を通る４本の境界線を設定する。
【００５５】
続いて、Ｓ２１７において、ＣＰＵ４１は、圧縮表示領域の対向する各辺までそれぞれ移動した上下左右の４区画の各境界線より外側の地図領域の地図画像と、各境界線から所定距離内側（例えば、約５０ｍ内側である。）の地図領域の地図画像とを、各境界線から当該所定距離の幅で各境界線の両側に設定した各境界部圧縮表示領域に圧縮表示する。従って、各区画間の境界線を挟んだ各境界部圧縮表示領域によって構成される直線状の境界部に地図画像が圧縮表示される。その後、ＣＰＵ４１は、当該サブ処理を終了してメインフローチャートに戻り、当該処理を終了する。
【００５６】
例えば、図６及び図８に示すように、ＣＰＵ４１は、圧縮表示領域６１の四隅から表示画面の四隅を通る４本の境界線７６〜７９を設定する。そして、ＣＰＵ４１は、区画７１の各境界線７６、７９より外側の地図領域の地図画像と、この各境界線７６、７９より所定距離内側（例えば、約５０ｍ内側である。）の地図領域の地図画像とを、当該所定距離の幅で各境界線７６、７９の内側に設定した各境界部圧縮表示領域７１Ａ、７１Ｂに圧縮表示する。尚、各境界線７６〜７９は、地図画像上に表示されない。
【００５７】
また同様に、各区画７２〜７４の各境界線７６〜７９より外側の地図領域の地図画像と、この各境界線７６〜７９より所定距離内側（例えば、約５０ｍ内側である。）の地図領域の地図画像とを、当該所定距離の幅で各境界線７６〜７９の内側に設定した各境界部圧縮表示領域７２Ａ、７２Ｂ、７３Ａ、７３Ｂ、７４Ａ、７４Ｂに圧縮表示する。
【００５８】
従って、各区画７１〜７４間の各境界線７６〜７９を挟んだ各境界部圧縮表示領域７１Ａ、７１Ｂ、７２Ａ、７２Ｂ、７３Ａ、７３Ｂ、７４Ａ、７４Ｂによって構成される直線状の境界部７１Ａ、７２Ｂ、境界部７２Ａ、７３Ｂ、境界部７３Ａ、７４Ｂ、境界部７４Ａ、７１Ｂに地図画像が圧縮表示される。
【００５９】
一方、図４に示すように、上記Ｓ２１２で圧縮表示領域の外側に表示する地図画像の縮尺が等倍設定になっていない、つまり、縮小フラグがオンに設定されていると判定した場合には（Ｓ２１２：ＮＯ）、ＣＰＵ４１は、Ｓ２１８の処理に移行する。
Ｓ２１８において、ＣＰＵ４１は、圧縮表示領域の対角線の交点を中心とする１段階広域の地図情報をナビ地図情報２６から読み出す。
【００６０】
そして、Ｓ２１９において、ＣＰＵ４１は、当該１段階広域の地図情報の中心を圧縮表示領域の対角線の交点に合わせて、当該圧縮表示領域の外側に表示する。
続いて、Ｓ２２０において、ＣＰＵ４１は、縮小フラグをＲＡＭ４２から読み出し、この縮小フラグをオフに設定した後、再度ＲＡＭ４２に記憶する。その後、ＣＰＵ４１は、当該サブ処理を終了してメインフローチャートに戻り、当該処理を終了する。
【００６１】
例えば、図９に示すように、ユーザが、指８１によって縮小ボタン６５を押下した後、３本の指で各開始タッチ座標５１〜５３を押下して、各最終タッチ座標５６〜５８まで移動した場合には、縮小フラグはオンに設定される。このため、ＣＰＵ４１は、圧縮表示領域６１の外側に表示する地図画像の縮尺が等倍設定になっていないと判定する。
【００６２】
そして、図１０に示すように、ＣＰＵ４１は、圧縮表示領域６１の対角線の交点８２を中心とする１段階広域の地図情報８３をナビ地図情報２６から読み出す。そして、ＣＰＵ４１は、当該１段階広域の地図情報８３の中心を圧縮表示領域６１の対角線の交点８２に合わせて、圧縮表示領域６１の外側に表示する。また、ＣＰＵ４１は、自車位置を示す車両位置マーク６２を当該１段階広域の地図情報８３の地図画像上に表示する。
【００６３】
以上詳細に説明した通り、本実施例に係るナビゲーション装置１では、ユーザは、表示画面の３点以上を指等で押下して画面上の同一点に向けて移動させることによって、各開始タッチ座標を結ぶ矩形状の地図圧縮範囲の地図画像を、各最終タッチ座標を結ぶ矩形状の圧縮表示領域内に圧縮表示して縮小表示することができる。また、矩形状の地図圧縮範囲の地図画像の圧縮表示領域への圧縮表示に伴って、表示画面の外側周辺部の地図領域を表示画面内へ移動させて表示することができる。これにより、ユーザは、表示画面の周縁部の全周に渡った道路等の繋がりや位置関係を容易に確認することができる。
【００６４】
また、自車位置が地図圧縮範囲内の地点である場合には、ＣＰＵ４１は、圧縮表示領域内に自車位置を中心とする所定範囲の自車位置周辺表示領域内の地図画像を圧縮しないで表示する。これにより、ユーザは、現在地周辺の地図と遠距離部の地図とを並行して容易に確認することができる。
【００６５】
また、ＣＰＵ４１は、圧縮表示領域の外側を圧縮表示領域の四隅から表示画面の四隅を通る４本の境界線によって上下左右の４区画に区分し、各区画間の境界線を挟んだ各境界部圧縮表示領域によって構成される直線状の境界部に地図画像を圧縮表示する。これにより、各区画内に地図を重複して表示することを防止することができ、ユーザは圧縮表示領域の外側の地図を容易に確認することができる。
【００６６】
更に、ユーザは、表示画面に表示された縮小ボタン６５等を押下して広域表示指示を入力することによって、圧縮表示領域の外側に地図画像の縮尺を１段階広域の縮尺に変更した地図を表示させることができ、道路等の繋がりや位置関係を更に遠距離部まで容易に確認することができる。
【００６７】
尚、本発明は前記実施例に限定されるものではなく、本発明の要旨を逸脱しない範囲内で種々の改良、変形が可能であることは勿論である。例えば、以下のようにしてもよい。
【００６８】
（Ａ）例えば、図１１に示すように、ＣＰＵ４１は、上記Ｓ１４で各開始タッチ座標９１〜９３を結ぶ楕円形状又は円形状の地図圧縮範囲９５を設定するようにしてもよい。また、各最終タッチ座標９６〜９８を結ぶ楕円形状又は円形状の圧縮表示領域１０１を設定するようにしてもよい。そして、上記Ｓ１１２で、ＣＰＵ４１は、圧縮表示領域１０１内に自車位置を示す車両位置マーク６２を中心とする所定範囲を楕円形状又は円形状の自車位置周辺表示領域１０３として設定するようにしてもよい。
【００６９】
また、上記Ｓ２１４で、ＣＰＵ４１は、地図圧縮範囲９５の中心を通り、当該地図圧縮範囲９５の外周から表示画面の四隅を通る４本の区画線１０５〜１０８を設定し、各区画線１０５〜１０８によって地図圧縮範囲９５の外側の地図画像を略台形状の上下左右の４区画１１１〜１１４に区分するようにしてもよい。そして、上記Ｓ２１５で、ＣＰＵ４１は、上下左右の４区画１１１〜１１４を圧縮表示領域１０１の外周までそれぞれＸ方向又はＹ方向へ移動させるようにしてもよい。
【００７０】
続いて、図１２に示すように、上記Ｓ２１６で、ＣＰＵ４１は、圧縮表示領域１０１の中心を通り、当該圧縮表示領域１０１の外周から表示画面の四隅を通る４本の境界線１１６〜１１９を設定するようにしてもよい。
【００７１】
そして、各区画１１１〜１１４の各境界線１１６〜１１９より外側の地図領域の地図画像と、この各境界線１１６〜１１９より所定距離内側（例えば、約５０ｍ内側である。）の地図領域の地図画像とを、当該所定距離の幅で各境界線１１６〜１１９の内側に設定した各境界部圧縮表示領域１１１Ａ、１１１Ｂ、１１２Ａ、１１２Ｂ、１１３Ａ、１１３Ｂ、１１４Ａ、１１４Ｂに圧縮表示するようにしてもよい。
【００７２】
従って、各区画１１１〜１１４間の各境界線１１６〜１１９を挟んだ各境界部圧縮表示領域１１１Ａ、１１１Ｂ、１１２Ａ、１１２Ｂ、１１３Ａ、１１３Ｂ、１１４Ａ、１１４Ｂによって構成される直線状の境界部１１１Ａ、１１２Ｂ、境界部１１２Ａ、１１３Ｂ、境界部１１３Ａ、１１４Ｂ、境界部１１４Ａ、１１１Ｂに地図画像が圧縮表示される。これにより、各区画１１１〜１１４内に地図を重複して表示することを防止することができ、ユーザは圧縮表示領域１０１の外側の地図を容易に確認することができる。
（Ｂ）また、例えば、図５、図７、図９及び図１１において、ユーザは表示画面の４カ所以上を押下して、それぞれのタッチ座標を表示画面の同一点に向かう方向へ移動させるようにしてもよい。
【符号の説明】
【００７３】
１        ナビゲーション装置
１５      液晶ディスプレイ
１８      タッチパネル
２５      地図情報ＤＢ
２６      ナビ地図情報
４１      ＣＰＵ
４２      ＲＡＭ
４３      ＲＯＭ
５１、５２、５３、９１、９２、９３      開始タッチ座標
５５、９５      地図圧縮範囲
５６、５７、５８、９６、９７、９８      最終タッチ座標
６１、１０１      圧縮表示領域
６２      車両位置マーク
６３、１０３      自車位置周辺表示領域
６５      縮小ボタン
６６〜６９、１０５〜１０８      区画線
７１〜７４、１１１〜１１４      区画
７６〜７９、１１６〜１１９      境界線
７１Ａ、７１Ｂ、７２Ａ、７２Ｂ、７３Ａ、７３Ｂ      境界部圧縮表示領域
７４Ａ、７４Ｂ、１１１Ａ、１１１Ｂ、１１２Ａ      境界部圧縮表示領域
１１２Ｂ、１１３Ａ、１１３Ｂ、１１４Ａ、１１４Ｂ      境界部圧縮表示領域
【図１】
2013029374.tif 000003
【図２】
2013029374.tif 000004
【図３】
2013029374.tif 000005
【図４】
2013029374.tif 000006
【図５】
2013029374.tif 000007
【図６】
2013029374.tif 000008
【図７】
2013029374.tif 000009
【図８】
2013029374.tif 000010
【図９】
2013029374.tif 000011
【図１０】
2013029374.tif 000012
【図１１】
2013029374.tif 000013
【図１２】
2013029374.tif 000014